(57)【要約】【課題】  構成部材の落下や紛失を防止し、かつ汎用性が高い固定装置を提供する。【解決手段】  第１の被固定体と第２の被固定体とに掛け渡されるチェーン２と、チェーン２を第１の被固定体または第２の被固定体の一方に固定する固定バンド５と、チェーン２に固定された南京錠３と、を備える。固定バンド５によってチェーン２が被固定体に固定されるため、チェーン２および南京錠３の落下や紛失が防止される。しかも、チェーン２を第１の被固定体と第２の被固定体とに掛け渡して南京錠３を施錠することで被固定体を固定するため、汎用性が高く、多種多様な被固定体に対応することができる。【選択図】  図１
2010144458.tif 000002
【特許請求の範囲】
【請求項１】
第１の被固定体と第２の被固定体とに掛け渡されるチェーンと、前記チェーンを前記第１の被固定体または第２の被固定体の一方に固定するチェーン固定手段と、前記チェーンに固定された南京錠と、を備えることを特徴とする固定装置。
【請求項２】
前記南京錠は、そのツルが前記チェーンを構成するチェーン構成部材のひとつに挿入され、該チェーン構成部材が前記ツルから抜けることを防止しかつ前記ツルに着脱自在な南京錠固定手段によって前記チェーンに固定されている、ことを特徴とする請求項１に記載の固定装置。
【請求項３】
南京錠が固定されたチェーンを第１の被固定体または第２の被固定体の一方に固定し、前記チェーンを前記第１の被固定体と第２の被固定体とに掛け渡し、前記チェーンを環状にした状態で前記南京錠のツルを、前記チェーンを構成するチェーン構成部材に挿入して施錠する、ことを特徴とする固定方法。
【発明の詳細な説明】
【技術分野】
【０００１】
この発明は、弁のハンドルや開閉扉などを固定する固定装置および固定方法に関し、特に、チェーンと南京錠を使用した固定装置および固定方法に関する。
【背景技術】
【０００２】
例えば、発電所には多種多様な弁が数多く存在し、発電設備の稼動、停止状態などに応じて各弁の開閉状態を維持しておかなければならない。そして、多種多様な弁の開閉状態を維持するために、チェーンと南京錠とが使用されている。すなわち、リング状の弁ハンドルと棒状の弁ヨークとにチェーンを掛け渡し、チェーンを張って環状に回した状態で、両端部のチェーン構成部材（チェーンを構成する環状部材）に南京錠のツルを挿入し、南京錠を施錠するものである。このようにチェーンと南京錠とを使用するのは、弁ハンドルと弁ヨークとの距離、位置関係が弁によって異なり、南京錠のツルの挿入位置を調整することで、多種多様な弁に対応できるようにするためである。ここで、同様にチェーンと南京錠とを使用して、物を結束、固定する技術が知られている（例えば、特許文献１参照。）。
【特許文献１】実用新案登録第２５３４６６１号公報
【発明の開示】
【発明が解決しようとする課題】
【０００３】
ところで、上記のような固定方法では、チェーンと南京錠自体は固定されておらず、フリーな状態にある。このため、南京錠を開錠した際に、チェーンと南京錠とがその自重によって落下し、下方に位置する設備や人に損傷を与えるおそれがある。また、チェーンと南京錠とがフリーなために、開錠後に紛失するおそれがあり、また紛失した場合には、弁の開閉状態（弁ハンドル）を固定するという行為自体を失念するおそれがある。しかも、多種多様な弁が数多く存在するため、個々の弁に適応した固定装置、固定方法では、費用が高く、また作業が極めて煩雑となる。
【０００４】
そこでこの発明は、構成部材の落下や紛失を防止し、かつ汎用性が高い固定装置および固定方法を提供することを目的とする。
【課題を解決するための手段】
【０００５】
上記目的を達成するために請求項１に記載の発明は、第１の被固定体と第２の被固定体とに掛け渡されるチェーンと、前記チェーンを前記第１の被固定体または第２の被固定体の一方に固定するチェーン固定手段と、前記チェーンに固定された南京錠と、を備えることを特徴とする固定装置である。
【０００６】
この発明によれば、例えば、チェーン固定手段によってチェーンを弁の弁ヨークに固定し、チェーンを弁ヨークと弁ハンドルとに掛け渡し、チェーンを環状にした状態で南京錠のツルを、チェーンを構成するチェーン構成部材に挿入して施錠する。
【０００７】
請求項２に記載の発明は、請求項１に記載の固定装置において、前記南京錠は、そのツルが前記チェーンを構成するチェーン構成部材のひとつに挿入され、該チェーン構成部材が前記ツルから抜けることを防止しかつ前記ツルに着脱自在な南京錠固定手段によって前記チェーンに固定されている、ことを特徴とする。
【０００８】
請求項３に記載の発明は、南京錠が固定されたチェーンを第１の被固定体または第２の被固定体の一方に固定し、前記チェーンを前記第１の被固定体と第２の被固定体とに掛け渡し、前記チェーンを環状にした状態で前記南京錠のツルを、前記チェーンを構成するチェーン構成部材に挿入して施錠する、ことを特徴とする固定方法である。
【発明の効果】
【０００９】
請求項１に記載の発明によれば、チェーン固定手段によってチェーンが第１の被固定体または第２の被固定体に固定されるため、チェーンの落下や紛失が防止される。また、南京錠はチェーンに固定されているため、チェーンとともに落下や紛失が防止される。しかも、チェーンを第１の被固定体と第２の被固定体とに掛け渡して南京錠を施錠することで被固定体を固定するため、汎用性が高く、多種多様な被固定体に対応することができる。同様に、請求項３に記載の発明によれば、南京錠がチェーンに固定され、このチェーンを第１の被固定体または第２の被固定体の一方に固定するため、チェーンおよび南京錠の落下や紛失を防止することができる。
【００１０】
請求項２に記載の発明によれば、チェーン構成部材が南京錠のツルから抜けることを防止する南京錠固定手段によって南京錠がチェーンに固定されているため、構成が簡単で、しかも南京錠固定手段が着脱自在なため、南京錠固定手段を外すことで必要に応じて南京錠をチェーンから取り外すことができる。
【発明を実施するための最良の形態】
【００１１】
以下、この発明を図示の実施の形態に基づいて説明する。
【００１２】
（実施の形態１）
図１は、この実施の形態に係る固定ユニット（固定装置）１を示す斜視図である。この固定ユニット１は、可動する可動体の可動を止めるユニットであり、チェーン２と、南京錠３と、固定チューブ（南京錠固定手段）４と、固定バンド（チェーン固定手段）５とを備えている。ここで、この実施の形態では、図２に示すように、発電設備に設置されている弁１００の弁ハンドル１０１の動きを止める（固定する）場合について説明し、弁ハンドル１０１を第１の被固定体とし、弁ヨーク１０２を第２の被固定体とする。
【００１３】
チェーン２は、金属製の鎖で、後述するようにして弁ハンドル１０１と弁ヨーク１０２とに掛け渡され、弁ハンドル１０１の動きを止めるものである。ここで、発電設備には、弁ハンドル１０１と弁ヨーク１０２との距離、位置関係が異なる多種多様な弁１００が設置されており、すべての弁１００に適用できるように、チェーン２の長さが設定されている。
【００１４】
南京錠３は、後述するようにしてチェーン２を環状に固定するカギ式の錠前で、チェーン２に固定されている。すなわち、南京錠３のツル３１がチェーン２の一端のチェーンリング（チェーン２を構成するチェーン構成部材）２１に挿入され、このチェーンリング２１を錠本体３２と挟むように、ツル３１に固定チューブ４が取り付けられている。この固定チューブ４は、弾性を有するゴム管から構成され、その内径はツル３１が挿入可能で、かつ強い外力がかからなければ固定チューブ４がツル３１から外れないように設定されている。これにより、固定チューブ４がツル３１に着脱自在となっている。また、固定チューブ４の外径は、チェーンリング２１の内径よりも大きく設定されている。これにより、ツル３１に挿入されたチェーンリング２１がツル３１から抜けないようになっている。
【００１５】
固定バンド５は、後述するように、チェーン２を弁ハンドル１０１または弁ヨーク１０２の一方に固定するバンドで、この実施の形態では、ポリプロピレン製の結束バンド（ＰＰバンド）から構成されている。
【００１６】
次に、このような構成の固定ユニット１の使用方法、作用および、この固定ユニット１による固定方法について説明する。
【００１７】
弁ハンドル１０１を固定する場合には、まず、上記のようにして南京錠３が固定されたチェーン２を、弁ヨーク１０２に固定する。すなわち、図３に示すように、チェーン２の一端側（南京錠３側）のチェーンリング２１内に固定バンド５を挿入した状態で、固定バンド５を弁ヨーク１０２に固定する。ここで、チェーン２を弁ヨーク１０２に固定しているのは、弁ヨーク１０２が可動しないのに対して弁ハンドル１０１は可動し、弁ハンドル１０１に取り付けるとハンドル操作などの邪魔になるからである。しかし、弁ハンドル１０１と弁ヨーク１０２の位置関係（上下関係）や弁１００の配設位置などによっては、弁ハンドル１０１に固定してもよい。
【００１８】
次に、チェーン２を弁ハンドル１０１に掛け渡す。このようにチェーン２が弁ハンドル１０１と固定バンド５を介して弁ヨーク１０２とに掛け渡された状態で、チェーン２を張って環状にし、南京錠３のツル３１に最も近いチェーンリング２１内にツル３１を挿入して、南京錠３を施錠する。これにより、チェーン２を介して弁ハンドル１０１と弁ヨーク１０２とが締結され、弁ハンドル１０１の動き（操作）が抑止されるものである。なお、図２、３では、チェーン２が弁ヨーク１０２に直接掛け渡されていないが、チェーン２を弁ヨーク１０２に直接掛け渡してもよく、これにより固定強度が高まる。
【００１９】
その後、弁ハンドル１０１を動かす場合には、南京錠３を開錠する。これにより、弁ハンドル１０１と弁ヨーク１０２との締結が解除され、弁ハンドル１０１を操作可能となる。このとき、チェーン２が弁ヨーク１０２に固定されているため、チェーン２を手で持っていなくてもチェーン２が落下することがない。また、南京錠３はチェーン２に固定されているため、チェーン２と同様に落下することがない。
【００２０】
以上のように、この固定ユニット１および固定方法によれば、南京錠３の開錠の際にチェーン２および南京錠３が落下せず、弁ヨーク１０２に固定されているため、紛失することもない。この結果、チェーン２や南京錠３を再購入する必要がなくなり、かつ、開錠後に施錠を忘れることも防止される。しかも、結束バンドから成る固定バンド５でチェーン２を弁ヨーク１０２に固定し、ゴム管製の固定チューブ４で南京錠３がチェーン２に固定されているだけであるため、構成が極めて簡単で、しかも汎用品、量産品で構成することができ、費用を低く抑えることができる。また、固定チューブ４が南京錠３のツル３１に着脱自在なため、固定チューブ４をツル３１から外すことで、必要に応じて南京錠３をチェーン２から取り外すことができる。
【００２１】
さらに、チェーン２を弁ハンドル１０１と弁ヨーク１０２とに掛け渡し、弁ハンドル１０１と弁ヨーク１０２との距離、位置関係に応じて、南京錠３のツル３１を挿入するチェーンリング２１を調整することで、多種多様な弁１００に対応することができる。つまり、汎用性が高いため、弁１００の形状などに個々に対応した特別な装置が不要となる。
【００２２】
（実施の形態２）
図４は、実施の形態１における固定ユニット１を開閉扉２００に適用した状態を示す斜視図である。この開閉扉２００は、第１の開き戸（第１の被固定体）２０１と第２の開き戸（第２の被固定体）２０２とが観音開き状に開閉する扉で、第１の開き戸２０１と第２の開き戸２０２にはそれぞれ、コ字状の取っ手２０１ａ、２０２ａが取り付けられている。
【００２３】
このような開閉扉２００を閉めた状態に維持する（開かないようにする）には、まず、実施の形態１と同様にして、南京錠３が固定されたチェーン２を第１の取っ手２０１ａまたは第２の取っ手２０２ａに固定する（図では第２の取っ手２０２ａに固定）。次に、チェーン２を両方の取っ手２０１ａ、２０２ａに掛け渡し、チェーン２を張って環状にし、南京錠３のツル３１に最も近いチェーンリング２１内にツル３１を挿入して、南京錠３を施錠する。これにより、チェーン２を介して２つの取っ手２０１ａ、２０２ａが締結され、開き戸２０１、２０２の動き（回動）が抑止されるものである。
【００２４】
その後、開閉扉２００を開く場合には、南京錠３を開錠する。これにより、取っ手２０１ａ、２０２ａの締結が解除され、開き戸２０１、２０２が回動可能となる。このとき、チェーン２が第２の取っ手２０２ａに固定されているため、チェーン２や南京錠３が落下、紛失することがない。
【００２５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、南京錠３がカギ式であるが、ダイヤル（番号）式やマグネット式であってもよく、また、固定バンド５がＰＰバンドから構成されているが、金属製の番線であってもよい。
【図面の簡単な説明】
【００２６】
【図１】この発明の実施の形態１に係る固定ユニットを示す斜視図である。
【図２】図１の固定ユニットで弁ハンドルを固定した状態を示す斜視図である。
【図３】図２の固定ユニット周辺を示す拡大図である。
【図４】この発明の実施の形態２において、図１の固定ユニットで開閉扉を固定した状態を示す斜視図である。
【符号の説明】
【００２７】
１        固定ユニット（固定装置）
２        チェーン
２１      チェーンリング（チェーン構成部材）
３        南京錠
３１      ツル
３２      錠本体
４        固定チューブ（南京錠固定手段）
５        固定バンド（チェーン固定手段）
１００    弁
１０１    弁ハンドル（第１の被固定体）
１０２    弁ヨーク（第２の被固定体）
２００    開閉扉
２０１    第１の開き戸（第１の被固定体）
２０１ａ  第１の取っ手
２０２    第２の開き戸（第２の被固定体）
２０２ａ  第２の取っ手
【図１】
2010144458.tif 000003
【図２】
2010144458.tif 000004
【図３】
2010144458.tif 000005
【図４】
2010144458.tif 000006